【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
遊技機前方から視認可能であり遊技球が流下する遊技領域に、
表示部にて絵柄を変動表示する絵柄表示装置と、
前記遊技領域を流下する遊技球が入球可能な入球部と、
開閉部材を有し、該開閉部材が開状態となることで遊技球が入球し易くなると共に閉状態となることでそれよりも入球しにくくなり、さらに遊技機前方から視認可能な遊技球転動領域、及び該遊技球転動領域を転動する遊技球が入球可能な有利口を内部に有する入賞役物装置と、
遊技球が入球し易い開放状態とそれよりも入球しにくい閉鎖状態とに切り換え可能な特定入賞装置とを備え、
さらに、前記入球部に遊技球が入球したか否かを判定する入球部入球判定手段と、
該入球部入球判定手段により前記入球部に遊技球が入球したと判定された場合に、前記開閉部材を開状態とするか否かの抽選を行う抽選手段と、
該抽選手段の抽選結果に基づいて前記絵柄の変動表示を行うと共に、前記抽選手段の抽選結果が開状態当選の場合に、前記表示部にて特定表示を行うよう前記絵柄表示装置を表示制御する表示制御手段と、
前記特定表示がなされた場合に、前記開閉部材を開状態とする開閉部材制御手段と、
前記有利口に遊技球が入球したか否かを判定する有利口入球判定手段と、
該有利口入球判定手段により前記有利口に遊技球が入球したと判定された場合に、遊技状態を遊技者に有利な特別遊技状態に移行させる特別遊技状態移行手段と、
前記特別遊技状態下で、前記特定入賞装置を開閉制御する特定入賞装置制御手段と、
前記特定入賞装置に遊技球が入球した場合に、入球に応じた特典を遊技者に付与する特典付与手段と
を備え、
前記特定入賞装置制御手段は、
前記特定入賞装置における１回の開放状態の開放時間として、第１時間と、それよりも短い第２時間との少なくとも２種類の規定時間を記憶する規定時間記憶手段と、
１の前記特別遊技状態下で複数回発生する前記各開放状態の各開放時間として前記各規定時間のいずれかを設定する開放時間設定手段と、
前記特定入賞装置を開放状態に切り換える開放制御手段と、
前記開放状態に切り換えられてから前記開放時間設定手段の設定した開放時間が経過した場合に、前記特定入賞装置を閉鎖状態に切り換える閉鎖制御手段と
を備えたことを特徴とする遊技機。
【請求項２】
遊技機前方から視認可能であり遊技球が流下する遊技領域に、
表示部にて絵柄を変動表示する絵柄表示装置と、
前記遊技領域を流下する遊技球が入球可能な入球部と、
第１開閉部材を有し、該第１開閉部材が開状態である場合には遊技球が入球し易く閉状態となることでそれよりも遊技球が入球しにくくなる入賞装置と、
第２開閉部材を有し、該第２開閉部材が開状態となることで遊技球が入球し易くなると共に閉状態となることでそれよりも入球しにくくなり、さらに遊技機前方から視認可能な遊技球転動領域、及び該遊技球転動領域を転動する遊技球が入球可能な有利口を内部に有する入賞役物装置と、
遊技球が入球し易い開放状態とそれよりも入球しにくい閉鎖状態とに切り換え可能な特定入賞装置とを備え、
さらに、前記入球部に遊技球が入球したか否かを判定する入球部入球判定手段と、
該入球部入球判定手段により前記入球部に遊技球が入球したと判定された場合に、前記第１開閉部材を開状態とするか否かの抽選を行う抽選手段と、
該抽選手段の抽選結果に基づいて前記絵柄の変動表示を行うと共に、前記抽選手段の抽選結果が開状態当選の場合に、前記表示部にて特定表示を行うよう前記絵柄表示装置を表示制御する表示制御手段と、
前記特定表示がなされた場合に、前記第１開閉部材を開状態とする第１開閉部材制御手段と、
前記入賞装置に遊技球が入球したか否かを判定する入賞判定手段と、
該入賞判定手段により前記入賞装置に遊技球が入球したと判定された場合に、前記第２開閉部材を開状態とする第２開閉部材制御手段と、
前記有利口に遊技球が入球したか否かを判定する有利口入球判定手段と、
該有利口入球判定手段により前記有利口に遊技球が入球したと判定された場合に、遊技状態を遊技者に有利な特別遊技状態に移行させる特別遊技状態移行手段と、
前記特別遊技状態下で、前記特定入賞装置を開閉制御する特定入賞装置制御手段と、
前記特定入賞装置に遊技球が入球した場合に、入球に応じた特典を遊技者に付与する特典付与手段と
を備え、
前記特定入賞装置制御手段は、
前記特定入賞装置における１回の開放状態の開放時間として、第１時間と、それよりも短い第２時間との少なくとも２種類の規定時間を記憶する規定時間記憶手段と、
１の前記特別遊技状態下で複数回発生する前記各開放状態の各開放時間として前記各規定時間のいずれかを設定する開放時間設定手段と、
前記特定入賞装置を開放状態に切り換える開放制御手段と、
前記開放状態に切り換えられてから前記開放時間設定手段の設定した開放時間が経過した場合に、前記特定入賞装置を閉鎖状態に切り換える閉鎖制御手段と
を備えたことを特徴とする遊技機。
【請求項３】
前記特定入賞装置制御手段は、前記開放制御手段が前記特別遊技状態下で初回の開放制御を行う前までに、複数回開閉される前記特定入賞装置の各回の開放時間を前記各規定時間のいずれかから決定する開放態様決定手段を備え、
前記開放時間設定手段は、前記開放態様決定手段の決定した開放態様に基づいて、前記各規定時間のいずれかを前記開放時間として設定することを特徴とする請求項１又は２に記載の遊技機。
【請求項４】
前記特定入賞装置制御手段は、前記開放制御手段が前記特別遊技状態下で初回の開放制御を行う前までに、複数回開閉される前記特定入賞装置の各開放時間として前記各規定時間が設定される回数を決定する開放態様決定手段を備え、
前記開放時間設定手段は、前記開放態様決定手段の決定した開放態様に基づいて、前記各規定時間のいずれかを前記開放時間として設定することを特徴とする請求項１又は２に記載の遊技機。
【請求項５】
前記開放時間設定手段は、開放時間として複数回設定することが決定された規定時間を、決定された回数分だけ連続して設定することを特徴とする請求項４に記載の遊技機。
【請求項６】
前記開放時間設定手段により設定される規定時間を前記第１時間及び前記第２時間のみとし、
前記規定時間記憶手段は、少なくとも一方の規定時間が１の特別遊技状態下で設定される回数が定められた設定回数パターンを予め複数記憶しており、
前記開放態様決定手段は、前記複数の設定回数パターンから１の設定回数パターンを開放態様として選択することを特徴とする請求項３乃至５のいずれか１に記載の遊技機。
【請求項７】
所定条件が成立している場合に、前記特別遊技状態の終了後に遊技状態を同特別遊技状態と遊技者の有利度合いが異なる第２特別遊技状態に移行させる第２特別遊技状態移行手段を備え、
前記開放態様決定手段は、前記所定条件が成立している場合、前記第１時間の設定回数が最も多い設定回数パターンの選択率が他の設定回数パターンの選択率と比して高くなるようにし、且つ、前記所定条件が成立していない場合、前記第２時間の設定回数が最も多い設定回数パターンの選択率が他の設定回数パターンの選択率と比して高くなるようにしたことを特徴とする請求項６に記載の遊技機。
【請求項８】
前記特別遊技状態移行手段が遊技状態を前記特別遊技状態に移行させる場合、前記特定入賞装置が前記開放状態に特定回数切り換えられることを教示する開放回数教示手段を備えることを特徴とする請求項１乃至７のいずれか１に記載の遊技機。
【請求項９】
前記特定入賞装置の各開放前に、次回の開放時間として設定される規定時間を示唆する示唆演出を行うよう前記絵柄表示装置を示唆表示制御する示唆演出手段を備えることを特徴とする請求項１乃至８のいずれか１に記載の遊技機。